(57)【要約】【課題】  所定量の水が注加された容器入り食品の電子レンジ調理時に、突沸して吹きこぼれたり、食感が良くない等の調理不足が生じない電子レンジ、及び、その制御プログラムを提供する。【解決手段】  加熱調理に必要な所定量の水を注加した容器入り食品の加熱調理開始時に、電子レンジ１に組み込まれたマイクロコンピュータ４は、赤外線センサ３によって水の表面温度を検出し、検出された温度に対応する加熱調理パターンを選択して、この加熱調理パターンに従ってマイクロ波の出力制御を行う電子レンジ及びその制御プログラム。【選択図】  図１
2015053206.tif 000002
【特許請求の範囲】
【請求項１】
容器入り食品を調理するための電子レンジであって、
温度センサと、
マイクロ波発生部と、
調理開始指示を受け付ける開始受付手段と、
前記開始受付手段により調理開始指示を受け付けると、前記容器入り食品に注加された水の表面温度を前記温度センサに検出させ、検出された温度に対応した加熱調理パターンに従って前記マイクロ波発生部によるマイクロ波出力を制御する制御手段と、
を備えることを特徴とする電子レンジ。
【請求項２】
前記電子レンジは、吹きこぼれを防止することを特徴とする請求項１に記載の電子レンジ。
【請求項３】
容器入り食品の種類の設定を受け付ける食品設定手段を更に備え、
前記制御手段は、前記食品設定手段により設定を受け付けた容器入り食品の種類に対応し、かつ、前記温度センサにより検出された温度に対応する加熱調理パターンに従って前記マイクロ波発生部によるマイクロ波出力を制御する、
ことを特徴とする請求項１または請求項２に記載の電子レンジ。
【請求項４】
前記加熱調理パターンは、段階的にマイクロ波の出力を下げる加熱調理のパターンであることを特徴とする請求項１ないし請求項３いずれか一項に記載の電子レンジ。
【請求項５】
前記容器入り食品として、即席麺、即席スープまたは即席米飯を用いることを特徴とする請求項１ないし請求項４いずれか一項に記載の電子レンジ。
【請求項６】
容器入り食品を調理するための、温度センサとマイクロ波発生部とを備える電子レンジに組み込まれたコンピュータを制御可能なプログラムであって、
前記コンピュータを、
調理開始指示を受け付ける開始受付手段、
前記開始受付手段により調理開始指示を受け付けると、前記容器入り食品に注加された水の表面温度を前記温度センサに検出させ、検出された温度に対応した加熱調理パターンに従って前記マイクロ波発生部によるマイクロ波出力を制御する制御手段、
として機能させるためのプログラム。
【発明の詳細な説明】
【技術分野】
【０００１】
本発明は、容器入り食品を調理するための電子レンジ及びその制御プログラムに関する。
【背景技術】
【０００２】
従来より、赤外線センサ等の温度センサを用いて食品の表面温度を検出し、検出温度に基づいてマイクロ波による加熱条件を制御する電子レンジが知られている。
【０００３】
例えば、特許文献１には、加熱される食品の温度状態を複数のイメージセンサにより点としてではなく面として検出し、その得られた情報に基づいて予めマイクロコンピュータにプログラムされていた加熱パターンにより、加熱調理中、継続的に食品の温度状態を把握し、その状態に応じて逐次加熱パターンを変化させる技術が開示されている。
【０００４】
一方、特許文献２には、赤外線センサで調理する食品の温度を一定時間ごとに検知し、食品の温度状態（上昇・停滞・降下）により、調理条件を変更させる技術が開示されている。
【先行技術文献】
【特許文献】
【０００５】
【特許文献１】特開昭６０−２３５３８８号公報
【特許文献２】特開昭６３−２０７９２１号公報
【発明の概要】
【発明が解決しようとする課題】
【０００６】
しかしながら、上記特許文献１及び２の電子レンジは、食品の加熱調理開始後に、赤外線センサを用いて食品の表面温度を継続的に検出し、得られた情報に基づいて加熱を制御するものである。そのため、所定量の水が注加された容器入り食品、例えば容器入り即席麺のように、容積の大きな（厚みのある）食品を調理する場合は、加熱調理が進むにつれて、表面温度と内部温度に大きな差が生じてくるため、食品全体の温度が想定外のものとなる。よって、前記表面温度を継続的に検出する方法では、かえって誤った加熱状態を検知し、調理時に突沸して吹きこぼれたり、麺が復元しない等の調理不足が生じる問題があった。また前記方法では、加熱制御手段が複雑となり、コストが増大する問題があった。
【０００７】
本発明は、このような課題に鑑みなされたもので、所定量の水が注加された容器入り食品を適切に加熱調理することが可能な電子レンジ及びその制御プログラムを提供することを課題とする。
【課題を解決するための手段】
【０００８】
すなわち、本発明は、容器入り食品を調理するための電子レンジであって、温度センサと、マイクロ波発生部と、調理開始指示を受け付ける開始受付手段と、前記開始受付手段により調理開始指示を受け付けると、前記容器入り食品に注加された水の表面温度を前記温度センサに検出させ、検出された温度に対応した加熱調理パターンに従って前記マイクロ波発生部によるマイクロ波出力を制御する制御手段と、を備えることを特徴とする電子レンジである。
【０００９】
特に、前記電子レンジは、吹きこぼれを防止することを特徴とする。
【００１０】
また、本発明は、容器入り食品を調理するための、温度センサとマイクロ波発生部とを備える電子レンジに組み込まれたコンピュータを制御可能なプログラムであって、前記コンピュータを、調理開始指示を受け付ける開始受付手段、前記開始受付手段により調理開始指示を受け付けると、前記容器入り食品に注加された水の表面温度を前記温度センサに検出させ、検出された温度に対応した加熱調理パターンに従って前記マイクロ波発生部によるマイクロ波出力を制御する制御手段、として機能させるためのプログラムである。
【００１１】
本発明によれば、加熱調理時の容器入り食品に注加された水の温度によらずに、吹きこぼれを防止することができ、食品の良好な食感が得られる電子レンジ、及び、その制御プログラムを提供することが可能となる。
【００１２】
さらに、前記加熱調理パターンは、段階的にマイクロ波の出力を下げる加熱調理のパターンとすることで、調理時に吹きこぼれがより起こりにくく、また、食感もより良くなる。
【００１３】
なお、本発明で言う容器入り食品は、該容器入り食品に水を注加した後、電子レンジを用いて調理するものであれば、特に限定されるものではないが、特に即席麺、即席スープまたは即席米飯において、より効果が得られる。
【発明の効果】
【００１４】
本発明によれば、容器入り食品を最適な加熱調理パターンにより、簡単かつ過不足なく加熱調理することが可能な電子レンジ、及び、その制御プログラムを提供することが可能となる。
【図面の簡単な説明】
【００１５】
【図１】本発明の実施の形態に係る電子レンジ１の構成図
【図２】前記電子レンジ１の説明用概略図
【図３】前記電子レンジ１に内蔵されたマイクロコンピュータ４に記憶された加熱調理パターンの対応関係を示す図
【発明を実施するための形態】
【００１６】
以下、本発明の実施の形態について、図面を参照しながら説明する。
【００１７】
図１は本発明の一実施例を示す電子レンジの構成図を示すものである。
【００１８】
図１において、電子レンジ１は、マグネトロン６と、マグネトロン６にて発振したマイクロ波を加熱調理室２に導く導波管７と、インバータ電源５と、マイクロコンピュータ４を内蔵し、加熱調理室２の天井側所定位置に容器入り食品の温度検出用の赤外線センサ３を設けている。
【００１９】
赤外線センサ３は、加熱調理室２に置かれた容器入り食品の水の表面温度を検出する。インバータ電源５は、マグネトロン６から発振されるマイクロ波の出力を連続的に可変させ、電力を細やかに効率よくコントロールする。なお、これらインバータ電源５、マグネトロン６及び導波管７の連動により、マイクロ波発生部としての機能を発揮する。    
マイクロコンピュータ４は、演算処理部４１、記憶部４２（いずれも図示せず）を備え、記憶部４２には、容器入り食品の種類毎のマイクロ波による加熱調理パターン、及び、この加熱調理パターンに従ってインバータ電源５を制御することでマイクロ波出力の制御を行う加熱調理プログラムが予め記録・設定されている。
【００２０】
前記加熱調理パターンは、容器入り食品の種類毎の容器形状、注水量、食品重量等を考慮して、好ましい条件を導き出したものである。具体的には、図３に示すように、記憶部４２は、食品の種類毎に、水の表面温度帯に対応する加熱調理パターンをそれぞれ記憶している。調理対象食品（容器入り食品の種類）の設定をユーザより受け付け、調理の開始の指示を受け付けると、マイクロコンピュータ４は、赤外線センサ３によって容器入り食品の水の表面温度を検出させ、設定を受け付けた容器入り食品の種類に対応し、かつ、前記検出された温度に対応する加熱調理パターンを選択し、この加熱調理パターンに従ってマイクロ波の出力制御を行う。
【００２１】
なお、記憶部４２は、外部記憶媒体や通信回線を介して、前記加熱調理パターン等のデータを追加記憶することが可能な構成としてもよい。
【００２２】
また、図２に示すように、電子レンジ１には、調理対象食品（容器入り食品の種類）を選択する選択ボタン８、調理スタートボタン９、一時停止ボタン１０、調理時間表示部１１が、前面に配置されている。
【００２３】
加熱調理に必要な所定量の水を注加した容器入り食品が電子レンジ１の加熱調理室２に入れられ、調理対象食品（容器入り食品の種類）が選択ボタン８で選択されることで設定を受け付けた後、調理スタートボタン９が押されることで調理開始指示を受け付けると、マイクロコンピュータ４は、赤外線センサ３によって容器入り食品の水の表面温度を検出させる。すると、マイクロコンピュータ４は、設定を受け付けた容器入り食品の種類に対応し、かつ、前記検出された温度に対応する加熱調理パターンを選択し、この加熱調理パターンに従ってマイクロ波の出力を制御して自動加熱調理する。
【００２４】
なお、選択ボタン８、調理スタートボタン９、一時停止ボタン１０は、タッチスクリーン上に表示された仮想ボタンでも良く、また、例えばスマートフォン等による無線回線を介した操作で同様の機能を備えることで、電子レンジ１に直接設けられていなくてもよい。
【００２５】
本実施の形態に係る加熱調理パターンは、最初は高出力のマイクロ波で加熱し、次いで、段階的にマイクロ波の出力を下げながら加熱することを特徴とする。これにより、調理時に吹きこぼれがより起こりにくく、また、食感もより良くなるという効果を奏する。
【００２６】
上記詳述した通り、本実施の形態に係る電子レンジ１は、予め記憶された複数の加熱調理パターンから、設定された容器入り食品の種類や検出された温度に対応する最適な加熱調理パターンを選択するという簡単な制御によって加熱調理することができるので、複雑な加熱制御手段が必要なく、コストも抑えることができる。また、容器入り食品に注加された水の温度によらずに、吹きこぼれを防止することができ、食品の良好な食感を得ることができる。
【００２７】
なお、本願発明は、前記実施の形態に限定されるものではなく、実施段階ではその要旨を逸脱しない範囲で種々に変形することが可能である。さらに、前記実施の形態には種々の段階の発明が含まれており、開示される複数の構成要件における適宜な組み合わせにより種々の発明が抽出され得る。例えば、実施の形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００２８】
例えば、前記実施の形態では、容器入り食品の種類の設定を受け付ける構成を含んでいるが、当該構成を削除してもよい。この場合、例えば、前記加熱調理パターンは食品の種類との対応付けは必要なく、水温度帯との対応付けがされていればよい。そして、ユーザにより調理の開始の指示を受け付けると、マイクロコンピュータ４は、赤外線センサ３によって容器入り食品の水の表面温度を検出させ、検出された温度に対応する加熱調理パターンを選択し、この加熱調理パターンに従ってマイクロ波の出力制御を行えばよい。
【００２９】
また、前記実施形態では、食品の種類毎に水の表面温度帯に対応する加熱調理パターンを、図３のような対応テーブルを例示して説明したが、このような手法には限定されない。
【００３０】
例えば、検出された水の表面温度を、食品の種類毎に予め用意した算出式に代入することで、水の表面温度に対応する加熱調理パターンを算出する構成としてもよい。これにより、水の表面温度の相違に対してより細やかに加熱調理パターンを設定することができる。
【実施例】
【００３１】
（調理例１）
容器入り食品として、カップ型容器入り即席中華麺（麺重量６５ｇ）の商品Ａを用いた調理例で説明する。
【００３２】
調理者により、商品Ａの蓋が剥がされてカップに３００ｍｌの水（注水後の水温２８．２℃）が入れられ、加熱調理室２に置かれた。その後、調理対象の食品の種類として『商品Ａ』が選択ボタン８で選択され、次に調理スタートボタン９が押されると、マイクロコンピュータ４は、赤外線センサ３によって容器入り食品の水の表面温度を検出させた。マイクロコンピュータ４は、選択された食品の種類『商品Ａ』に対応し、かつ、検出された温度（２８．２℃）に対応する加熱調理パターンを選択し、選択された加熱調理パターンに従って、マイクロ波の出力制御を行うことで調理を開始した。最初に８５０Ｗマイクロ波で２分１７秒間、次いで２５０Ｗマイクロ波で１分３５秒間、更に１２５Ｗマイクロ波で１分２０秒間になるように、出力制御して自動調理を行った。
【００３３】
調理後の食品温度は９３．６℃となり、吹き零れもなく、優れた食感を有する即席麺であった。
【００３４】
（調理例２）
容器入り食品として、どんぶり型容器入り即席うどん（麺重量７４ｇ）の商品Ｂを用いた調理例で説明する。
【００３５】
調理者により、商品Ｂの蓋が剥がされてカップに４１０ｍｌの水（注水後の水温２５．６℃）が入れられ、加熱調理室２に置かれた。その後、調理対象の食品の種類として『商品Ｂ』が選択ボタン８で選択され、次に調理スタートボタン９が押されると、マイクロコンピュータ４は、赤外線センサ３によって容器入り食品の水の表面温度を検出させた。マイクロコンピュータ４は、選択された食品の種類『商品Ｂ』に対応し、かつ、検出された温度（２５．６℃）に対応する加熱調理パターンを選択し、選択された加熱調理パターンに従って、マイクロ波の出力制御を行うことで調理を開始した。最初に８５０Ｗマイクロ波で３分１８秒間、次いで５７０Ｗマイクロ波で１分２７秒間、更に２５０Ｗマイクロ波で１分４０秒間になるように、出力制御して自動調理を行った。
【００３６】
調理後の食品温度は９８．９℃となり、吹き零れもなく、優れた食感を有する即席麺であった。
【図１】
2015053206.tif 000003
【図２】
2015053206.tif 000004
【図３】
2015053206.tif 000005